(57)【要約】【課題】装置の所持者に適したジョギングの支援を行う。【解決手段】ジョギング支援部は、ジョギング経路中の所在地の天気予報を受信し（ステップＳ２０２）、受信された天気予報の報知（ステップＳ２０４）、更に、予報された天候がジョギングに適するか否かを判断し（ステップＳ２０５）、適さないと判断された場合、適さない理由を報知する（ステップＳ２０６）。【選択図】図１２
2009224898.tif 000002
【特許請求の範囲】
【請求項１】
移動の経路を記憶する移動経路記憶手段と、
前記移動経路記憶手段に記憶された経路の少なくとも一部が含まれる地域の天気予報を受信する天気予報受信手段と、
前記天気予報受信手段によって受信された天気予報を報知する天気予報報知手段と
を有することを特徴とする移動通信装置。
【請求項２】
移動の経路を記憶する移動経路記憶手段と、
前記移動経路記憶手段に記憶された経路の少なくとも一部が含まれる地域の天気予報を受信する天気予報受信手段と、
前記天気予報受信手段によって受信された天気予報が示す天候が前記移動に適するか適さないかを判断する移動適不適判断手段と、
前記移動適不適判断手段によって判断された、適する旨、または、適さない旨を報知する移動適不適報知手段と
を有することを特徴とする移動通信装置。
【請求項３】
前記移動適不適判断手段は、前記天気予報受信手段によって受信された天気予報が示す天候が降雨、降雪、高温、低温及び強風の少なくとも１つを含む場合、その天候は、前記移動に適さないと判断する
ことを特徴とする請求項２に記載の移動通信装置。
【請求項４】
前記天気予報受信手段は、前記経路の少なくとも一部を含むセルをサービスエリアとする移動通信用基地局から送信された、そのセルの天気予報を受信する
ことを特徴とする請求項１または請求項２に記載の移動通信装置。
【請求項５】
前記天気予報受信手段は、前記経路の少なくとも一部を含む町名を識別する情報を含む電子メールを天気予報サーバ装置に送信し、その天気予報サーバ装置から送信された電子メールに含まれる天気予報を受信する
ことを特徴とする請求項１または請求項２に記載の移動通信装置。
【請求項６】
前記天気予報受信手段は、前記経路の少なくとも一部を含む地域を識別する情報をウェブサーバ装置に送信し、そのウェブサーバ装置から送信された天気予報を受信する
ことを特徴とする請求項１または請求項２に記載の移動通信装置。
【請求項７】
前記天気予報受信手段は、前記経路の少なくとも一部を含む地域の市外局番を付して天気予報サービスサーバ装置に発呼し、その天気予報サービスサーバ装置から送信された音声による天気予報を受信する
ことを特徴とする請求項１または請求項２に記載の移動通信装置。
【請求項８】
測位手段と、
前記測位手段によって所定の時間間隔で測位された緯度及び経度からなる経路を前記移動経路記憶手段に記憶させる移動経路設定手段とを更に有する
ことを特徴とする請求項１または請求項２に記載の移動通信装置。
【請求項９】
緯度及び経度と、地域名とを対応付けて記憶する地図記憶手段を更に有し、
前記移動経路設定手段は、前記測位手段によって測位された緯度及び経度と関連付けて前記地図記憶手段に記憶された地域名を含む経路を前記移動経路記憶手段に記憶させる
ことを特徴とする請求項８に記載の移動通信装置。
【請求項１０】
入力手段と、
出力手段と、
加速度検出手段と、
前記加速度検出手段によって検出された加速度が所定の加速度変化閾値を超えて変化した場合、異常の発生である旨、または、ない旨の入力を促す情報を前記出力手段に出力させる異常可能性報知手段と、
前記異常の発生である旨が前記入力手段から入力された場合、通話通信手段を制御して所定の電話番号へ発呼させ、及び／または、電子メール送信手段を制御して所定の電子メールアドレスへ所定の電子メールを送信させる異常通知手段と
を有することを特徴とする移動通信装置。
【請求項１１】
入力手段と、
出力手段と、
加速度検出手段と、
前記加速度検出手段によって検出された加速度が所定の加速度変化閾値を超えて変化した場合、異常の発生である旨、または、ない旨の入力を促す情報を前記出力手段に出力させる異常可能性報知手段と、
前記異常可能性報知手段によって前記出力手段に前記情報が出力された後、所定の時間に渡って前記異常の発生でない旨が前記入力手段から入力されない場合、通話通信手段を制御して所定の電話番号へ発呼させ、及び／または、電子メール送信手段を制御して所定の電子メールアドレスへ所定の電子メールを送信させる異常通知手段と
を有することを特徴とする移動通信装置。
【請求項１２】
入力手段と、
出力手段と、
測位手段と、
前記測位手段によって測位された緯度及び経度によって装置の移動速度を計測する速度計測手段と、
前記速度計測手段によって計測された速度が所定の速度閾値を超える速度から略０に変化し、その略０である速度が所定の時間に渡って計測され続けた場合、異常の発生である旨、または、ない旨の入力を促す情報を前記出力手段に出力させる異常可能性報知手段と、
異常の発生である旨が前記入力手段から入力された場合、通話通信手段を制御して所定の電話番号へ発呼させ、及び／または、電子メール送信手段を制御して所定の電子メールアドレスへ所定の電子メールを送信させる異常通知手段と
を有することを特徴とする移動通信装置。
【請求項１３】
入力手段と、
出力手段と、
測位手段と、
前記測位手段によって測位された緯度及び経度によって装置の移動速度を計測する速度計測手段と、
前記速度計測手段によって計測された速度が所定の速度閾値を超える速度から略０に変化し、その略０である速度が所定の時間に渡って計測され続けた場合、異常の発生である旨、または、ない旨の入力を促す情報を前記出力手段に出力させる異常可能性報知手段と、
前記異常可能性報知手段によって前記出力手段に前記情報が出力された後、所定の時間に渡って異常の発生でない旨が前記入力手段から入力されない場合、通話通信手段を制御して所定の電話番号へ発呼させ、及び／または、電子メール送信手段を制御して所定の電子メールアドレスへ所定の電子メールを送信させる異常通知手段と
を有することを特徴とする移動通信装置。
【請求項１４】
前記所定の電話番号は、災害救急情報センターの電話番号、または、入力手段によって入力され前記異常通知手段によって記憶された電話番号である
ことを特徴とする請求項１０ないし請求項１３のいずれか１項に記載の移動通信装置。
【請求項１５】
移動速度を記憶する移動速度記憶手段と、
音楽コンテンツを記憶するコンテンツ記憶手段と、
前記コンテンツ記憶手段に記憶された音楽コンテンツを再生するコンテンツ再生手段と、
測位手段と、
前記測位手段によって測位された緯度及び経度によって装置の移動速度を計測する速度計測手段と、
前記速度計測手段によって計測された速度が前記移動速度記憶手段に記憶された移動速度より所定の速度閾値を超えて速い場合、前記移動速度記憶手段に記憶された歩行速度に等しいテンポの音楽コンテンツを選択し、その選択された音楽コンテンツを前記コンテンツ再生手段に再生させる歩行速度変更支援手段と
を有することを特徴とする移動通信装置。
【発明の詳細な説明】
【技術分野】
【０００１】
本発明は、移動通信装置に係り、特に、装置の所持者に適したジョギングの支援処理に関する。
【背景技術】
【０００２】
ジョギングは、容易に行うことができる運動であり、多くの人々によって健康維持のために行われている。ここで、ジョギングは、ウォーキング、ランニング、マラソン、散歩、ハイキング、登山、ゴルフなど、主に屋外で行なわれる全ての歩くこと、または、走ることによって人が位置する場所の移動を伴う動作を含む。
【０００３】
ジョギングは、容易に行うことができるが、ジョギングを行う人に適さないジョギングは、健康維持に逆効果となり、好ましくない。好ましくないジョギングの例は、過度に激しいジョギング、雨天の際のジョギング、炎天下でのジョギングである。
【０００４】
そこで、ジョギングを行なう人の活動状態を同定し、同定された活動状態に基づいて、ジョギングを行う人に適したジョギングのペースや、運動しすぎを防止するアラームをジョギングを行なう人に通知する処理が知られている。ここで、活動状態は、例えば、ジョギングを行なう人の脈拍数や、血圧や、呼吸数などを測定することによって得られる（例えば、特許文献１参照。）。
【特許文献１】特開２００６−２９３５３５号公報（第５頁、第２０頁、第２２頁、図１８）
【発明の開示】
【発明が解決しようとする課題】
【０００５】
しかしながら、上述した特許文献１に開示されている方法では、ジョギングを行なう人は、各種のセンサーを装着する必要がある問題点があった。即ち、この方法は、スポーツ選手のトレーニングなどに際してはともかく、一般の人々が手軽にそれぞれの人に適したジョギングなどを行なうに際して、適切な方法ではない。
【０００６】
本発明は上記問題点を解決するためになされたもので、装置の所持者に適したジョギングの支援を行う移動通信装置を提供することを目的とする。
【課題を解決するための手段】
【０００７】
上記目的を達成するために、本発明の移動通信装置は、移動の経路を記憶する移動経路記憶手段と、前記移動経路記憶手段に記憶された経路の少なくとも一部が含まれる地域の天気予報を受信する天気予報受信手段と、前記天気予報受信手段によって受信された天気予報を報知する天気予報報知手段とを有することを特徴とする。
【発明の効果】
【０００８】
本発明によれば、装置の所持者に適したジョギングの支援を行う移動通信装置を提供することができる。
【発明を実施するための最良の形態】
【０００９】
以下に、本発明による移動通信装置の実施の形態を、図面を参照して説明する。図１は、本発明の実施形態に係る移動通信装置の構成を示すブロック図である。
【００１０】
この移動通信装置は、移動通信網（図示せず）を介した通信等を行う装置であり、装置全体の制御を行う制御部１１と、基地局（図示せず）との間で電波の送受信を行うアンテナ１２ａと、通信部１２ｂと、送受信部１３と、通話用のスピーカ１４ａと、通話用のマイクロフォン１４ｂと、通話部１４ｃと、表示部１５と、入力装置１６とを備える。
【００１１】
更に、この移動通信装置は、ＢＣＭＣＳ（Broadcast/Multicast Services）受信部２１と、電子メール送受信部２２と、ブラウザ部２３と、ダウンロード部２４と、測位部２５と、加速度センサー部２６と、ジョギング支援部３１と、ジョギング経路記憶部３２と、イヤホン型の第２のスピーカ４１とを備える。ジョギング経路記憶部３２には、ジョギング経路３２ａが記憶される。
【００１２】
ここで、制御部１１と、ＢＣＭＣＳ受信部２１と、電子メール送受信部２２と、ブラウザ部２３と、ダウンロード部２４と、ジョギング支援部３１とは、コンピュータと、そのコンピュータによって利用されるプログラムからなっても良い。
【００１３】
上記のように構成された、本発明の実施形態に係る移動通信装置の各部の動作を、図１及び図２を参照して説明する。
【００１４】
通信部１２ｂは、アンテナ１２ａが受信した高周波信号を送受信部１３へ出力し、また、送受信部１３から出力される高周波信号をアンテナ１２ａより送信する。
【００１５】
送受信部１３は、通信部１２ｂからの高周波信号を増幅、周波数変換及び復調し、それによって得られたディジタル音声信号を通話部１４ｃへ、得られた制御信号を制御部１１へ、得られた電子メール信号を電子メール送受信部２２へ、得られたＷｅｂデータ信号をブラウザ部２３へ、得られたダウンロードされたコンテンツ信号をダウンロード部２４へ送る。
【００１６】
更には、送受信部１３は、通話部１４ｃから出力されるディジタル音声信号と、制御部１１から出力される制御信号と、電子メール送受信部２２から出力される電子メール信号と、ブラウザ部２３から出力されるＷｅｂデータ要求信号と、ダウンロード部２４から出力されたコンテンツのダウンロード要求信号を変調、周波数変換及び増幅し、高周波信号を得て、それを通信部１２ｂに送る。
【００１７】
通話部１４ｃは、送受信部１３から出力されるディジタル音声信号をアナログ音声信号に変換し、それを増幅してスピーカ１４ａに送る。また、マイクロフォン１４ｂから出力されるアナログ音声信号を増幅し、それをディジタル音声信号に変換して送受信部１３に送信する。
【００１８】
表示部１５は、制御部１１に制御されることで、カーソルを含む文字・数字を含む画像データの表示動作を行い、表示されているデータは、入力装置１６からの入力操作や着信信号の受信に応答して制御部１１からの指示を受けることで切換わる。また、所定の時間に渡って入力装置１６からの入力操作や着信信号の受信がない場合、表示部１５は、制御部１１に制御されて表示を終了する。
【００１９】
入力装置１６は、通信相手の電話番号などを指定し、また、トグル式の入力方式によってひらがな文字、アルファベット文字及び記号文字を入力するための数字キーと、カーソル移動の指示を入力するカーソル移動キーやスクロールキーを含む機能の指示を入力する複数の機能キーとを含むキーからなる。
【００２０】
そして、入力装置１６のキーが押下されると、そのキーの識別子が制御部１１に通知され、制御部１１の制御に基づいて、その識別子が通知された装置内の各部の処理により、表示部１５に文字として表示されたり、キーの押下及び解放に基づく制御が行われたりする。
【００２１】
ＢＣＭＣＳ受信部２１は、基地局から複数の移動通信装置に一斉同時配信された情報を受信する。そして、受信された情報をＢＣＭＣＳ受信部２１内に記憶する。受信された情報が画像情報である場合、ＢＣＭＣＳ受信部２１は、ＢＣＭＣＳ受信部２１内に記憶された設定に従って、または、装置の各部からの要求に従って、その画像を表示部１５に表示させる。また、受信された情報が音声情報である場合、ＢＣＭＣＳ受信部２１は、ＢＣＭＣＳ受信部２１内に記憶された設定に従って、または、装置の各部からの要求に従って、その音声をスピーカ１４ａまたは第２のスピーカ４１から発生させる。
【００２２】
また、ＢＣＭＣＳ受信部２１は、受信された情報が文字情報である場合、ＢＣＭＣＳ受信部２１内に記憶された設定に従って、または、装置の各部からの要求に従って、その文字を表示部１５に表示させ、及び／または、その文字を音声信号に変換して、変換された音声をスピーカ１４ａまたは第２のスピーカ４１から発生させる。
【００２３】
ここで、ＢＣＭＣＳ受信部２１内に記憶された設定は受信された情報の種類毎に定めることができる。また、装置の各部からの要求は、受信された情報の種類を指定した要求であっても良い。ここで、情報の種類とは、天気予報、ニュースなどの１つまたは複数である。
【００２４】
電子メール送受信部２２は、電子メールの送受信を行う処理部であり、入力装置１６の所定のキー操作に基づいた制御部１１からの指示によって動作を開始し、電子メールを送信する。即ち、入力装置１６の所定のキー操作に従って、電子メールの宛先電子メールアドレスと、件名と、本文とを入力する。そして、入力された件名と、本文とを、入力された宛先電子メールアドレスに宛てて、送受信部１３に要求してメールサーバ装置（図示せず）へ送信させる。
【００２５】
また、電子メール送受信部２２は、制御部１１を経由して他の処理部から送られた要求によって動作を開始し、その処理部から送られた電子メールの宛先電子メールアドレスと、件名と、本文とを受信する。そして、受信された件名と、本文とを、受信された宛先電子メールアドレスに宛てて、送受信部１３に要求してメールサーバ装置へ送信させる。
【００２６】
更に、電子メール送受信部２２は、制御部１１が電子メール着信信号を受信したことを契機とする制御部１１からの指示によって動作を開始し、メールサーバ装置から送信された電子メールの送信元電子メールアドレス及び件名を含むその電子メールのヘッダと、その本文とを送受信部１３を経由して受信する。
【００２７】
また、電子メール送受信部２２は、入力装置１６の所定のキー操作に基づいた制御部１１からの指示によって動作を開始し、受信された電子メールの送信元電子メールアドレス、件名、及び本文を表示部１５に表示させる。また、電子メール送受信部２２は、制御部１１を経由して他の処理部から送られた要求によって動作を開始し、受信された電子メールの送信元電子メールアドレス、件名、及び本文をその処理部に送る。
【００２８】
ブラウザ部２３は、ウェブサイトへアクセスする処理部である。即ち、ブラウザ部２３は、入力装置１６の所定のキー操作に基づいた制御部１１からの指示によってウェブサイトへアクセスする動作を開始する。そして、入力装置１６の所定のキー操作によってウェブサイトのアドレスを作成し、作成されたアドレスによって識別されるウェブサイトへ制御部１１及び送受信部１３を経由してアクセスし、そのウェブサイトから送信された情報を送受信部１３を経由して受信して、表示部１５に表示する。ブラウザ部２３は、入力装置１６の所定のキー操作に基づいて、動作を終了する。
【００２９】
更に、ブラウザ部２３は、制御部１１を経由して他の処理部から送られた要求に従って動作を開始し、その処理部から送られたウェブサイトのアドレスによって識別されるウェブサイトへ制御部１１及び送受信部１３を経由してアクセスし、そのウェブサイトから送信された情報を送受信部１３を経由して受信して、その処理部に送る。
【００３０】
ダウンロード部２４は、コンテンツサーバ装置（図示せず）に記憶されたコンテンツを指定して、コンテンツサーバ装置にそのコンテンツのダウンロードを要求し、その要求に応じてダウンロードされたコンテンツをダウンロード部２４内に記憶する。そして、装置の各部からの要求に従って、記憶されたコンテンツを再生する。コンテンツに含まれる画像は、表示部１５に表示させ、コンテンツに含まれる音声は、第２のスピーカ４１から発生させる。
【００３１】
測位部２５は、ＧＰＳ（Global Positioning System）衛星から送信された電波を受信して、装置が位置する場所の緯度及び経度を測定する。また、測位部２５は、ＧＰＳ衛星から送信された電波による測位に加えて、または、代えて、通信部１２ｂによって受信された基地局から送信された電波の強度と、その基地局の位置する緯度及び経度とから装置が位置する場所の緯度及び経度を測定しても良い。
【００３２】
より多数の基地局から送信された電波の強度によれば、測位部２５は、より正確に測定することができる。基地局から送信された電波の強度によれば、ＧＰＳ衛星から送信された電波が受信できず、かつ、基地局から送信された電波が受信されるところ、例えば、地下道などでの測位に有効である。
【００３３】
加速度センサー部２６は、お互いに直交する３軸方法の加速度を検出する。そして、検出された３つの加速度の大きさを３次元空間の点とみなし、３次元空間のその点と、原点との間のユークリッド距離を算出することによって、装置に加わった加速度を検出する。
【００３４】
ジョギング支援部３１は、装置の所持者に適したジョギングを支援するため、以下の動作を行う。第１に、ジョギング経路３２ａをジョギング経路記憶部３２に記憶させる。ジョギング経路３２ａには、ジョギングの経路の詳細を含む。記憶されるジョギング経路３２ａは、入力装置１６の所定のキー操作によって入力されたものなど、ジョギングに先んじて記憶されたものであっても良く、また、装置の所持者がジョギング中に、ジョギング支援部３１によって検出された、そのジョギングの実績であっても良い。
【００３５】
第２に、ジョギング支援部３１は、ジョギング経路３２ａに記憶されたジョギングの経路における天気予報を装置の所持者に報知する。第３に、ジョギング支援部３１は、装置の所持者のジョギングの速度に応じた報知を、例えば、音楽コンテンツをダウンロード部２４に再生させることによって行なう。
【００３６】
第４に、ジョギング支援部３１は、装置の所持者の異常の有無を判断し、異常があると判断された場合、異常がある旨を送信する。第５に、ジョギング支援部３１は、装置の所持者のジョギングの状況と、ジョギング経路３２ａとを比較し、その比較結果を報知する。
【００３７】
なお、上記第２〜第５のジョギング支援部３１の動作は、上記第１のジョギング支援部３１によって記憶されたジョギング経路３２ａを用いるように説明したが、これらの動作は、同時に行われても良い。即ち、ジョギング経路３２ａを記憶させつつ、その記憶させつつあるジョギング経路３２ａに従って、上記第２〜第５のジョギング支援部３１の動作を行っても良い。
【００３８】
以下、本実施形態に係る移動通信装置における、装置の所持者に適したジョギングを支援する処理を説明する。
【００３９】
図２は、ジョギング経路記憶部３２に記憶されるジョギング経路３２ａの構成の一例を示す。このジョギング経路３２ａは、経路識別子３２ｂと、年月日３２ｃと、開始時刻３２ｄと、経路詳細３２ｅとが関連付けられた情報からなる。そして、１組の関連付けられた情報が１つのジョギングの経路などを示す。
【００４０】
経路識別子３２ｂは、ジョギング経路３２ａを一意に識別する情報である。年月日３２ｃは、ジョギングが行なわれた、及び／または、行なわれると予定もしくは予想されている年月日であり、曜日を含む。なお、年月日３２ｃは、年月日と曜日との全てを含むと限るものではない。
【００４１】
図２で、経路識別子３２ｂが「Ａ」であるジョギング経路３２ａが示すジョギングが日曜に行なわれた、及び／または、行なわれると予定もしくは予想されていることを示す。一方、経路識別子３２ｂが「Ｂ」であるジョギング経路３２ａが示すジョギングは、２００８年１月２日水曜日に行なわれた、及び／または、行なわれると予定されていることを示す。
【００４２】
開始時刻３２ｄは、経路識別子３２ｂによって識別されるジョギング経路３２ａが示すジョギングが開始された、及び／または、行なわれると予定もしくは予想されている時刻である。なお、開始時刻３２ｄは、１つの時刻であると限るものではない。複数の時刻であっても良く、また、時間帯であっても良い。
【００４３】
図２で、経路識別子３２ｂが「Ａ」であるジョギング経路３２ａが示すジョギングが１４時〜１５時の時間帯に開始された、及び／または、開始されると予定もしくは予想されていることを示す。一方、経路識別子３２ｂが「Ｂ」であるジョギング経路３２ａが示すジョギングは、１０時２０分に開始された、及び／または、開始されると予定されていることを示す。
【００４４】
経路詳細３２ｅは、経路識別子３２ｂによって識別されるジョギング経路３２ａが示す経路の詳細であって、目印３２ｆと、所在地３２ｇと、緯度経度３２ｈと、道のり３２ｉと、時間３２ｊと、速度３２ｋとが関連付けられた情報が複数個順序付けられた情報からなる。即ち、関連付けられた１組の情報がそのジョギング経路３２ａが示すジョギングに際して開始する場所、経由する場所及び終了する場所に係わる目印３２ｆと、所在地３２ｇと、緯度経度３２ｈとを含み、複数組の情報が、その情報に係る場所を経由する順の通りに順序付けられる。
【００４５】
更に、ｉ＋１番目の経路詳細３２ｅは、ｉ番目の経路詳細３２ｅが示す場所からｉ＋１番目の経路詳細３２ｅが示す場所に至る部分経路に係わる道のり３２ｉと、時間３２ｊと、速度３２ｋとを含む。ここで、ｉは、１以上の自然数である（ｉ≧１）。
【００４６】
目印３２ｆは、ジョギングに際して経由する場所を、装置の所持者が容易に識別する情報である。図２に示すジョギング経路３２ａは、最初の経路詳細３２ｅ及び最後の経路詳細３２ｅは、いずれも、目印３２ｆが「自宅」であって、自宅から開始され、自宅で終了されるジョギングの経路である。所在地３２ｇは、目印３２ｆの所在地または住所である。緯度経度３２ｈは、目印３２ｆで識別される場所の緯度及び経度である。
【００４７】
道のり３２ｉは、直前に経由する場所から、即ち、直前に順序付けられた経路詳細３２ｅが示す場所から、目印３２ｆで識別される場所に至る道のりである。時間３２ｊは、直前に経由する場所から、目印３２ｆで識別される場所に至る道のりをジョギングによって移動するために要した、及び／または、予定もしくは予想されている時間である。
【００４８】
速度３２ｋは、道のり３２ｉを時間３２ｊで除した商と等しい関係にある。そこで、速度３２ｋは、過去のジョギングの際の速度、及び／または、予定もしくは予想されている速度である。道のり３２ｉと、時間３２ｊとは、最初に順序付けられた経路詳細３２ｅにおいて０であること、更に、速度３２ｋは、最初に順序付けられた経路詳細３２ｅにおいて意味を持たないことは、上記説明から明らかである。
【００４９】
なお、目印３２ｆと、所在地３２ｇと、緯度経度３２ｈと、道のり３２ｉと、時間３２ｊと、速度３２ｋとの全てに情報が設定されていると限るものではない。例えば、図２に示す経路識別子３２ｂが「Ｂ」である経路詳細３２ｅにおいて、目印３２ｆに情報が設定されていない。この状況は、例えば、この経路詳細３２ｅに示す経路によって１回ジョギングをしたものの、そのジョギングの途中に経由した場所を識別する情報が得られていない場合に相当する。
【００５０】
また、年月日３２ｃと、開始時刻３２ｄと、時間３２ｊと、速度３２ｋとは、過去に行なわれたジョギングに基づく実績値であることも、予定された値であることも、更には、過去に行なわれたジョギングに基づく実績値に基づいて、ジョギング支援部３１によって予想される値であることもある。しかし、以後、ジョギング経路３２ａを参照する際には、これらの値を単に予定された値と称する。
【００５１】
続いて、ジョギング支援部３１の動作を説明する。まず、ジョギング支援部３１がジョギング経路３２ａをジョギング経路記憶部３２に記憶させる動作を説明する。ジョギング支援部３１がジョギング経路３２ａを記憶させる動作の第１は、入力装置１６の所定のキー操作によって入力された情報によってジョギング経路３２ａを設定して記憶させる動作である。
【００５２】
即ち、ジョギング支援部３１は、経路識別子３２ｂと、年月日３２ｃと、開始時刻３２ｄとに、入力装置１６の所定のキー操作によって入力された情報を設定する。そして、複数の経路詳細３２ｅ、即ち、複数組の目印３２ｆと、所在地３２ｇと、緯度経度３２ｈと、道のり３２ｉと、時間３２ｊと、速度３２ｋとに、入力装置１６によって入力された情報を設定する。そして、得られたジョギング経路３２ａをジョギング経路記憶部３２に記憶させる。
【００５３】
なお、ジョギングの経路は、往路及び復路の２つの部分経路からなるとし、その結果、図２に示す経路識別子３２ｂが「Ａ」であるジョギング経路３２ａの如く、１つのジョギング経路３２ａに含まれる経路詳細３２ｅは、最低３つであるが、これに限るものではない。
【００５４】
例えば、目印３２ｆが「自宅」であって、ジョギング開始場所を示す経路詳細３２ｅと、目印３２ｆが「自宅」であって、ジョギング終了場所を示す経路詳細３２ｅとの、２つの経路詳細３２ｅを含む構成であっても良い。この構成において、ジョギングの経路は、１つの部分経路からなる。
【００５５】
入力装置１６の所定のキー操作によって入力された情報によってジョギング経路３２ａを設定する際、必須な情報は、経路識別子３２ｂであり、その他の情報は、設定されなくとも良い。また、正確でない、概略の値が設定されても良い。また、速度３２ｋは、ジョギング支援部３１によって予め決められた値が設定されるとしても良い。特に、緯度経度３２ｈの設定は、入力装置１６からの入力による場合、設定されないとしても良い。また、測位部２５の測位結果によって設定されるとしても良い。
【００５６】
以上説明した他、ジョギング支援部３１は、ジョギング支援部３１の動作に係るパラメータを入力装置１６の所定のキー操作によって入力し、ジョギング支援部３１内に記憶する。このパラメータの一例は、装置の所持者のジョギングの速度に応じた報知を行なうか否か、行なうとしたら、如何なる手段で報知するかである。また、別の例は、ジョギングの折り返しを促す動作を行うか否かである。
【００５７】
以上説明した、ジョギング支援部３１が入力装置１６の所定のキー操作によって入力された情報によってジョギング経路３２ａを設定して記憶させる際に、ジョギング支援部３１が表示部１５に表示させる内容の例と、その表示に従って入力される情報を説明する。これらの表示は、以後に説明する順に表示されるが、これに限るものではない。入力装置１６の所定のキー操作によって表示が選択されても良い。
【００５８】
図３及び図４は、速度３２ｋの入力に関してなされる表示の例を示す。即ち、入力装置１６の所定のキー操作によってジョギング支援部３１が起動されると、図３に示す「モードを選択」なる標題１５ａと、「ウォーキング」と、「ジョギング」との２の項目からなる第１のメニュー１５ｂとが表示される。更に、いずれかの項目が選択された後、入力装置１６の所定のキー操作によって選択された項目の入力が決定されることを示す機能表示１５ｃが表示される。この例では、「ウォーキング」が選択されていることを、「ウォーキング」の表示にハッチングを施して示す。
【００５９】
図４は、図３に示す第１のメニュー１５ｂによって「ウォーキング」が選択され、その選択が機能表示１５ｃによって決定された後に表示される「ウォーキングモード  スピード選択」なる標題１５ｄと、第２のメニュー１５ｅとを示す。第２のメニュー１５ｅは、「ハード」、「ノーマル」、「ソフト」、及び「カスタム」の４項目からなる。更に、いずれかの項目が選択された後、入力装置１６の所定のキー操作によって選択された項目の入力が決定されることを示す機能表示１５ｃが表示される。この例では、「ハード」が選択されていることを、「ハード」の表示にハッチングを施して示す。
【００６０】
第２のメニュー１５ｅによって「ハード」、「ノーマル」、及び「ソフト」の中のいずれかが選択、決定されると、それぞれ、所定の速い速度、所定の中程度の速度、所定の遅い速度が全ての経路詳細３２ｅの速度３２ｋに設定される。また、「カスタム」が選択、決定されると、次に、例えば、時速である速度の入力を促す表示が行われ、その表示に応じて入力装置１６の所定のキー操作によって入力された速度が速度３２ｋに設定される。
【００６１】
図５は、装置の所持者のジョギングの速度に応じた報知を行なうか否かを示すパラメータを入力するための表示の例を示す。この表示は、「スピードお知らせ  方法選択」なる標題１５ｆと、「曲」、「音声」、「バイブ」、及び「なし」の４項目からなる第３のメニュー１５ｇと、「◎決定」なる機能表示１５ｃとからなる。
【００６２】
第３のメニュー１５ｇによって「曲」、「音声」、及び「バイブ」の中のいずれかが選択され、機能表示１５ｃによってその選択が決定されると、それぞれ、装置の所持者のジョギングの速度に応じた報知が音楽コンテンツの再生によって、音声によって、バイブレータの振動によって行なわれることをパラメータとして記憶する。また、「なし」が選択、決定されると、上記報知は行われないことをパラメータとして記憶する。
【００６３】
図６は、ジョギング開始の場所の緯度及び経度、即ち、最初に順序付けられた経路詳細３２ｅの緯度経度３２ｈを記憶するための表示の例を示し、「現在地測定中  しばらくお待ち下さい」なる第１の状況表示１５ｈからなる。この表示の際、ジョギング支援部３１の要求に従って、測位部２５が測位している。測位の終了後、ジョギング支援部３１は、は、測位された緯度及び経度を上記緯度経度３２ｈとして記憶させる。なお、この緯度経度３２ｈの記憶は、ジョギング経路３２ａをジョギング経路記憶部３２に記憶させる際、装置は、ジョギング開始の場所に位置していることが前提となる。
【００６４】
図７は、経路の全ての道のり、即ち、経路詳細３２ｅの道のり３２ｉの合計の入力のための表示の例を示し、「距離入力」なる標題１５ｉと、道のり入力欄１５ｊと、「◎決定」なる機能表示１５ｃとからなる。道のり入力欄１５ｊは、入力装置１６の所定のキー操作によって入力された数字、即ち、例えば、５００メートル単位の道のりの長さが表示される部分と、「Ｋｍ」なる長さの入力は、キロメートル単位での数字による旨の表示部分とからなる。
【００６５】
ジョギング支援部３１は、このように道のり３２ｉの合計が入力された場合、ジョギング開始場所からジョギング終了場所へ至る、１つの部分経路からなる経路をジョギング経路３２ａとして設定する。
【００６６】
しかし、これに限るもではなく、図２に示す経路識別子３２ｂが「Ａ」であるジョギング経路３２ａの如く、ジョギング開始場所からある場所へ移動し、その場所からジョギング終了場所へ戻る、そして、ジョギング終了場所は、ジョギング開始場所と等しい、即ち、往路及び復路の２つの部分経路からなる経路をジョギング経路３２ａとして記憶させても良い。
【００６７】
経路が往路及び復路の２つの部分経路からなる場合、経路詳細３２ｅの道のり３２ｉとして、２つの値が、即ち、２番目に順序付けられた経路詳細３２ｅの道のり３２ｉと、３番目に順序付けられた経路詳細３２ｅの道のり３２ｉとが設定され、それらの値は、入力された道のり３２ｉの合計の１／２である。
【００６８】
図３及び図４を参照して説明したように、速度３２ｋが入力され、更に、図７を参照して説明したように、道のり３２ｉの合計が入力されると、ジョギング支援部３１は、時間３２ｊを算出する。図８は、この算出中の表示の一例を示す。この表示は、「計算中」なる第２の状況表示１５ｋからなる。
【００６９】
図９は、上記算出が終了した際の表示の一例を示す。この表示は、「運動時間は３時間１０分になります」なる第３の状況表示１５ｍと、「◎決定」なる機能表示１５ｃとからなる。この時間は、道のり３２ｉの合計を速度３２ｋで除した商である。
【００７０】
ここで、機能表示１５ｃによって、入力された速度及び道のりの合計、更に算出されたジョギング時間の設定が決定されると、それらの値が、ジョギング経路３２ａとして記憶される。また、入力装置１６の所定のキー操作によって、既に入力された速度や、道のりの合計の値の入力のための表示が再度され、その表示に従った入力によって、それらの値が更新される。
【００７１】
なお、図２に示す経路識別子３２ｂが「Ａ」であるジョギング経路３２ａの如く、往復の経路からなるジョギング経路３２ａが記憶される場合、上記算出された時間の１／２が２番目に順序付けられた経路詳細３２ｅの時間３２ｊと、３番目に順序付けられた経路詳細３２ｅの時間３２ｊとに記憶される。
【００７２】
図１０は、ジョギングの折り返しを促す動作を行うか否かを示すパラメータの設定のための表示の一例を示す。この表示は、「折り返し設定」なる標題１５ｎと、「ＯＮ」及び「ＯＦＦ」の２項目からなる第４のメニュー１５ｏと、「◎決定」なる機能表示１５ｃとからなる。第４のメニュー１５ｏによって、「ＯＮ」及び「ＯＦＦ」のいずれかが選択され、その選択が機能表示１５ｃによって決定されると、それぞれ、上記折り返しを促す動作を行う、または、行なわない旨のパラメータが設定され、ジョギング支援部３１内に記憶される。
【００７３】
ジョギング支援部３１がジョギング経路３２ａを記憶させる動作の第２は、地図を参照した入力である。即ち、ジョギング支援部３１は、事前にジョギング支援部３１内に記憶された地図（図示せず）、その地図内の地点から、その地点に対応する場所の目印と、所在地と、緯度及び経度とを得る対応情報、及び２つの地点に対応する場所の間の道のりを算出する数式を参照して、以下に説明するように、ジョギング経路３２ａを記憶させる。ここで、対応情報は、例えば、対応表であるが、これに限るものではない。例えば、地点から緯度及び経度を算出する数式が記憶されても良い。
【００７４】
ジョギング支援部３１は、上記地図を表示部１５に表示させる。表示された地図内の複数の地点が順序付けて入力装置１６のポインティング手段、例えば、カーソル位置によって指定されることにより、複数組の目印３２ｆと、所在地３２ｇと、緯度経度３２ｈと、道のり３２ｉとを入力する。その他の情報は、上述したように、入力装置１６の所定のキー操作によって入力する。そして、入力された情報をジョギング経路３２ａとして記憶させる。ここで、指定された順序付けに従って、ジョギングの経路が設定される。即ち、順序付けにおいて、先である地点に対応する場所を先に経由し、後である地点に対応する場所を後に経由する経路が設定される。
【００７５】
ジョギング支援部３１がジョギング経路３２ａを記憶させる動作の第３は、装置の所持者がジョギング中に、ジョギング支援部３１によって検出された、そのジョギングの実績を記憶させる動作である。図１１は、ジョギング支援部３１の装置の所持者のジョギングの実績をジョギング経路３２ａに記憶させる動作のフローチャートを示す。
【００７６】
ジョギング支援部３１は、入力装置１６の所定のキー操作によって、または、装置の所持者がジョギング中であると判断された場合、ジョギング支援部３１によって検出された、そのジョギングの実績を記憶させる動作を開始する（ステップＳ１０１）。
【００７７】
装置の所持者がジョギング中であることは、以下のように判断される。即ち、ジョギング支援部３１は、所定の時間間隔で測位部２５に測位をさせ、その測位によって得られた緯度及び経度が、測位の度に如何なる変化を示すかを得る。この得られた変化によって、所定の時間間隔の間に装置が位置する場所の変化、即ち、移動距離を得る。そして、この移動距離を上記所定の時間で除した商を求めることによって、移動速度を得る。この移動速度は、装置の所持者がジョギング速度であって、この速度が所定の範囲の値である場合、装置の所持者がジョギング中であると判断する。
【００７８】
ここで、所定の時間の経過は、制御部１１に含まれるクロック（図示せず）が示す時刻によって得られる。また、所定の時間を充分に短くすることによって、移動距離は、移動した道のりとの差が少なくなるので、より正確にジョギングの速度を求めることができる。特に、所持者が右折や左折を行い、または、曲線状にジョギングする場合の速度を正確に測定することができる。
【００７９】
続いて、ジョギング支援部３１は、経路識別子３２ｂと、年月日３２ｃと、開始時刻３２ｄとに設定される情報をジョギング支援部３１内に記憶する（ステップＳ１０２）。ここで、経路識別子３２ｂは、一意にジョギング経路３２ａを識別する値とする。また、年月日３２ｃと、開始時刻３２ｄとは、制御部１１に含まれるクロックが示す年月日と、時刻とである。これらの情報は、１つのジョギング経路３２ａにそれぞれ１つの情報が記憶されるものであり、それぞれ１つの情報をジョギング支援部３１内に記憶する。
【００８０】
そして、ジョギング支援部３１は、緯度経度３２ｈと、道のり３２ｉと、時間３２ｊと、速度３２ｋとに設定される情報をジョギング支援部３１内に記憶する（ステップＳ１０３）。ここで、緯度経度３２ｈは、測位部２５によって得られた緯度及び経度である。道のり３２ｉは、上記ジョギング中であるか否かの判断で説明したように算出された道のりである。なお、ジョギング開始の際の道のり３２ｉは、既に説明したように０である。
【００８１】
時間３２ｊは、制御部１１に含まれるクロックが示す時刻を参照することによって算出された、ジョギング開始からの時間である。速度３２ｋは、上記ジョギング中であるか否かの判断で説明したように算出された移動速度、即ち、ジョギングの速度である。
【００８２】
なお、ステップＳ１０３で、ジョギング支援部３１は、目印３２ｆと、所在地３２ｇとに設定される情報は記憶しないとしても良く、また、緯度経度３２ｈを検索キーにジョギング支援部３１内に記憶する地図を参照することによって得られた情報を記憶するとしても良い。これらのステップＳ１０３で記憶される情報は、経路詳細３２ｅに含まれる情報であり、１つのジョギング経路３２ａに複数の情報が記憶される。
【００８３】
ジョギング支援部３１は、入力装置１６の所定のキー操作がされたか否か、及び、ジョギングの実績を記憶させる動作を開始した際に測位部２５によって測位された緯度及び経度と同じ緯度及び経度が測位部２５によって測位されたか否かを調べる（ステップＳ１０４）。
【００８４】
そして、上記キー操作がされた場合、または、上記同じ緯度及び経度が測位された場合（ステップＳ１０４の「ＹＥＳ」）、ジョギング支援部３１は、１つのジョギングが終了されたと判断し、ジョギング支援部３１内に記憶された情報をジョギング経路３２ａとして記憶させ（ステップＳ１０５）、ジョギング支援部３１によって検出されたジョギングの実績を記憶させる動作を終了する（ステップＳ１０６）。
【００８５】
一方、上記キー操作がされず、かつ、上記同じ緯度及び経度が測位されない場合（ステップＳ１０４の「ＮＯ」）、ジョギング支援部３１は、所定の待ち時間を置いて（ステップＳ１０７）ステップＳ１０３の緯度経度３２ｈなどを記憶する動作に移る。
【００８６】
ステップＳ１０５のジョギング経路３２ａとして記憶させる動作で、ジョギング支援部３１は、ジョギング支援部３１内に記憶された経路識別子３２ｂと、年月日３２ｃと、開始時刻３２ｄとに設定される情報を、それぞれ経路識別子３２ｂと、年月日３２ｃと、開始時刻３２ｄとして記憶させる。
【００８７】
その他のジョギング支援部３１内に記憶された情報を、ジョギング支援部３１は、いくつの経路詳細３２ｅとして記憶させるか、言い換えると、ジョギングの経路がいくつの部分経路からなるとして記憶させるかを説明する。ジョギング支援部３１は、以下に説明する場合、ジョギングの全経路を、または、部分経路を複数の部分経路に分割する。
【００８８】
まず、入力装置１６の所定のキー操作によって目印３２ｆと、所在地３２ｇと、緯度経度３２ｈと、道のり３２ｉと、時間３２ｊと、速度３２ｋとのいずれかが指定されることによって、経路中の場所が指定された場合、ジョギング支援部３１は、その指定された経路中の場所の前と後とをそれぞれ異なる部分経路とする。
【００８９】
また、測位部２５によって測位された緯度及び経度の時系列を参照することによって、全経路が、往路と、往路と同じ経路であって逆向きの経路である復路とに分けられると判断される場合、ジョギング支援部３１は、往路と、復路とのそれぞれを異なる部分経路とする。図２に示す、経路識別子３２ｂが「Ａ」であるジョギング経路３２ａが、この往路と復路との２つの部分経路からなる一例である。
【００９０】
また、ジョギング支援部３１は、全経路中、目印３２ｆとして、著名な場所を経由した場合、その著名な場所である目印３２ｆの前と後とをそれぞれ異なる部分経路とする。著名であるか否かは、ジョギング支援部３１内に記憶した地図に含まれる情報によって判断する。
【００９１】
また、全経路中、所在地３２ｇとして、県名、市名、町名、丁目などのいずれかが異なる場所を経由した場合、ジョギング支援部３１は、異なる場所の前と後とをそれぞれ異なる部分経路とする。県名、市名、町名、丁目などのいずれかが異なるか否かは、ジョギング支援部３１内に記憶した地図に含まれる情報によって判断する。また、全経路の道のりを所定の長さ毎に分割し、分割されたそれぞれの部分を部分経路とする。
【００９２】
ジョギング支援部３１は、図１１に示すフローチャートを参照して説明したジョギングの実績を記憶させる動作を複数回行い、それぞれの動作で記憶されたジョギング経路３２ａの経路詳細３２ｅが略等しいと判断された場合、それらの複数のジョギング経路３２ａを、１つのジョギング経路３２ａに取りまとめて記憶させる。この取りまとめの際、年月日３２ｃと、開始時刻３２ｄとは、複数のジョギング経路３２ａのそれぞれの情報を含む情報、言い換えると、複数の情報に共通な情報とする。
【００９３】
例えば、図２に示す経路識別子３２ｂが「Ｂ」であるジョギング経路３２ａは、１回のジョギングに対する情報であって、特定の年月日と、特定の時刻を示す。しかし、経路識別子３２ｂが「Ａ」であるジョギング経路３２ａは、複数のジョギング経路３２ａが取りまとめられたものである。
【００９４】
そこで、複数のジョギング経路３２ａの年月日３２ｃに共通であった曜日（「日曜」。）のみが年月日３２ｃとして記憶された例を示す。また、複数のジョギング経路３２ａの開始時刻３２ｄを含む時間帯（「１４時〜１５時」。）が開始時刻３２ｄとして記憶された例を示す。
【００９５】
以上説明した、ジョギング支援部３１の入力装置１６のキー操作によって入力された情報によってジョギング経路３２ａを作成して記憶させる動作と、ジョギング支援部３１によって検出された、そのジョギングの実績を記憶させる動作とは、排他的ではない。
【００９６】
特に、前者の動作では入力が困難である緯度経度３２ｈは、後者の動作によって補われても良い。また、後者の動作における部分経路の設定は、前者の動作によって変更、例えば、１つの部分経路を複数の部分経路に分割し、また、複数の部分経路を１つの部分経路に統合しても良い。部分経路の変更は、多くの場合、目印３２ｆの変更を伴う。
【００９７】
次に、ジョギング支援部３１によるジョギング経路３２ａに記憶されたジョギングの経路における天気予報を報知する動作を説明する。図１２は、ジョギング支援部３１による天気予報を報知する動作のフローチャートを示す。ジョギング支援部３１は、入力装置１６の所定のキー操作によって動作を開始する（ステップＳ２０１）。
【００９８】
この動作開始の際、ジョギング支援部３１は、ジョギング経路３２ａの一覧を表示部１５に表示させ、その中の１つを入力装置１６の所定のキー操作によって選択することにより、経路識別子３２ｂを得てもよく、得られないとしても良い。
【００９９】
経路識別子３２ｂが入力装置１６のキー操作によって得られない場合、ジョギング支援部３１は、制御部１１のクロックによって現在の年月日と、時刻とを得る。そして、それらが、それぞれ年月日３２ｃに含まれ、もしくは略等しい、及び／または、開始時刻３２ｄに含まれ、もしくは略等しいジョギング経路３２ａを検索することによって、経路識別子３２ｂを得る。
【０１００】
ジョギング支援部３１は、上記得られた経路識別子３２ｂによって識別されるジョギング経路３２ａに含まれる所在地３２ｇ毎に天気予報を受信する（ステップＳ２０２）。ここで、天気予報の受信には、以下の方法の１つまたは複数による。所在地３２ｇ毎に異なる方法によっても良い。また、１回の天気予報の受信によって、複数の所在地３２ｇに係わる天気予報が受信されても良い。
【０１０１】
まず、日本電信電話株式会社グループによって運用されている気象庁発表の天気予報を聴取するサービス（電話番号１７７）を介して受信された音声による天気予報である。ここで、所在地３２ｇの天気予報を受信させるため、ジョギング支援部３１は、所在地３２ｇを含む地域の市外局番と、その局番に続く１７７とである電話番号に対しての発呼を制御部１１に要求することによって、天気予報サービスサーバ装置（図示せず）から送信された天気予報を受信する。
【０１０２】
次に、ＢＣＭＣＳ受信部２１によって受信された天気予報である。この天気予報は、基地局毎に、その基地局がサービスエリアとするセルに係る天気予報であることがあり、狭い地域の天気予報を得ることができる。
【０１０３】
次に、電子メール送受信部２２によって受信された天気予報である。即ち、電子メール送受信部２２に天気予報の送信を要求する電子メールを所定の天気予報サーバ装置（図示せず）に送らせ、電子メール送受信部２２によって受信されたその電子メールに対する回答の電子メールに含まれる天気予報である。
【０１０４】
天気予報を要求する際、所在地３２ｇにおける天気予報を要求する。この要求に際して、郵便番号によって所在地３２ｇを指定する場合、ジョギング支援部３１は、ジョギング支援部３１内に町名と郵便番号との対応を記憶して参照することによって、所在地３２ｇに対応する郵便番号を得る。なぜなら、現在の７桁の郵便番号は、主に町に対応して付されているので、郵便番号によって町が識別可能だからである。
【０１０５】
次に、ブラウザ部２３に所定の天気予報ウェブサイトが用意されたウェブサーバ装置（図示せず）へアクセスさせることによって受信された天気予報である。所在地３２ｇの天気予報の受信のため、ジョギング支援部３１は、所在地３２ｇを含む地域を指定してブラウザ部２３に天気予報を受信させる。または、緯度経度３２ｈを指定して受信させる。
【０１０６】
図１２を参照したジョギング支援部３１の動作の説明に戻る。ジョギング支援部３１は、経路識別子３２ｂで識別されるジョギング経路３２ａに含まれる全ての所在地３２ｇの天気予報が受信されたか否かを調べる（ステップＳ２０３）。受信されていない場合、ステップＳ２０２の動作に移り、天気予報が受信されていない所在地３２ｇの天気予報を受信する。
【０１０７】
一方、全ての所在地３２ｇの天気予報が受信された場合、ジョギング支援部３１は、受信された所在地３２ｇの天気予報を、それぞれの所在地３２ｇが含まれる経路詳細３２ｅの順序に従って報知する（ステップＳ２０４）。そして、受信された天気予報によると、天候は、ジョギング経路３２ａのジョギングに適するか否かを判断する（ステップＳ２０５）。
【０１０８】
適さないと判断された場合、ジョギング支援部３１は、適さない理由を報知して（ステップＳ２０６）、天気予報を報知する動作を終了する（ステップＳ２０７）。ここで、適さない理由とは、天気予報に、降雨がある旨、降雪がある旨、所定の風速以上の風がある旨、所定の値以上の高温である旨、所定の値以下の低温である旨、所定の値以上の湿度である旨、の１つまたは複数が含まれる場合である。また、これらの可能性がある旨であっても同じである。更に、適さない理由とは、天候に関する注意報または警報が出されている旨である。
【０１０９】
一方、適する場合、即ち、適さない理由が受信された天気予報に含まれない場合、ジョギング支援部３１は、天気予報を報知する動作を終了する（ステップＳ２０７）。しかし、これに限るものではなく、天気予報によれば、天気はジョギングに適する旨を報知しても良い。また、天気はジョギングに適するか、また、適さないかの少なくとも一方を報知する場合、ジョギング支援部３１は、ステップＳ２０４の天気予報の報知を行わなくとも良い。
【０１１０】
ここで、ステップＳ２０４の天気予報の報知について、説明を加える。受信される天気予報は、音声情報、文字情報、静止画情報及び動画情報の１つまたは複数であり、ジョギング支援部３１は、音声情報をスピーカ１４ａから、または、第２のスピーカ４１から発生させ、その他の情報を表示部１５に表示させる。
【０１１１】
しかし、これに限るものではない。音声情報を文字に変換し、表示部１５に表示させても良く、また、文字情報を音声に変換し、スピーカ１４ａから、または、第２のスピーカ４１から発生させても良い。変換は、天気予報を受信した各部に行なわせても良く、ジョギング支援部３１が行なっても良い。
【０１１２】
受信された天気予報が複数の場合、ジョギング支援部３１は、受信された天気予報をジョギング支援部３１内に記憶し、各所在地３２ｇに係わる天気予報を、それぞれの所在地３２ｇが含まれる経路詳細３２ｅの順に報知する。
【０１１３】
しかし、受信された天気予報が１つの場合、例えば、全ての所在地３２ｇが１つの町内にあり、かつ、１つの基地局が担当するセル内にある場合、ジョギング支援部３１は、天気予報が受信された際に、受信と同時に報知しても良い。また、装置が位置する場所に最も近い所在地３２ｇに係わる天気予報を報知しても良い。一例をあげれば、ジョギング開始に際し、ジョギング開始場所の天気予報、即ち、最初に順序付けられた経路詳細３２ｅに含まれる所在地３２ｇに係わる天気予報を報知しても良い。
【０１１４】
ステップＳ２０６の天気予報が示す天候がジョギングに適さない理由の報知は、表示部１５に表示させることにより、及び／または、第２のスピーカ４１から音声を発生させることにより行なう。
【０１１５】
図１３は、ステップＳ２０６の動作による、天候はジョギング経路３２ａのジョギングに適さない旨の表示の一例を示す。この表示は、表示部１５に表示され、「３時間１０分後の雨天確率は６０％です。中止しますか？」なる第４の状況表示１５ｐと、「ＯＮ」及び「ＯＦＦ」の２項目からなる第５のメニュー１５ｑとならなる。
【０１１６】
この第４の状況表示１５ｐによって、ジョギング支援部３１は、天気予報は確率６０％で雨天である旨を含むことを理由に天候はジョギングに適さないことを報知し、婉曲にジョギングの中止を促している。第５のメニュー１５ｑによって、「ＯＮ」及び「ＯＦＦ」のいずれかが選択、決定されると、それぞれ、ジョギング支援部３１は、動作を終了し、または、動作を続ける。
【０１１７】
なお、以上の説明は、ジョギング支援部３１は、入力装置１６のキー操作を契機として天気予報を報知する動作を開始するとしたが、これに限るものではない。ジョギング支援部３１は、装置の所持者がジョギング中と判断される場合、所定の時間毎に、所定のジョギングした道のり毎に、ジョギングによって装置が位置する所在地３２ｇが移動する毎に、または、新たな天気予報が受信される毎に天気予報を報知する動作を開始しても良い。
【０１１８】
特に、装置が異なるセル内に移動する場合、異なる基地局から送信された、その基地局がサービスエリアとするセルにおける天気予報が受信されることがあるので、有効な天気予報の報知が可能である。
【０１１９】
なお、装置の所持者がジョギング中であるか否かの判断については、ジョギング支援部３１が装置の所持者のジョギングの実績をジョギング経路３２ａに記憶させる動作の説明で述べた通りである。
【０１２０】
次に、ジョギング支援部３１による装置の所持者のジョギングの速度に応じた報知を、例えば、音楽コンテンツをダウンロード部２４に再生させることによって行なう動作を説明する。ジョギング支援部３１は、装置の所持者のジョギングの速度に応じた報知を行なうとのパラメータがジョギング支援部３１内に記憶されている場合、以下の報知動作を行う。その報知を行なわないとのパラメータが記憶されている場合、以下の動作を行わない。
【０１２１】
図１４は、ジョギング支援部３１による装置の所持者のジョギングの速度に応じた報知を行なう動作のフローチャートを示す。ジョギング支援部３１は、入力装置１６の所定のキー操作に従って、または、装置の所持者がジョギング中であることを検出して動作を開始する（ステップＳ３０１）。そして、ジョギング支援部３１は、装置の所持者のジョギングの速度を測定する（ステップＳ３０２）。
【０１２２】
なお、装置の所持者がジョギング中であるか否かの判断については、ジョギング支援部３１が装置の所持者のジョギングの実績をジョギング経路３２ａに記憶させる動作の説明で述べた通りである。また、この判断の過程でジョギングの速度が得られることも、説明した通りである。
【０１２３】
一方、ジョギング支援部３１は、所定の時間間隔で、速度３２ｋを検索する（ステップＳ３０３）。即ち、装置の所持者が行っているジョギングの経路識別子３２ｂを先ず得る。この経路識別子３２ｂを得る動作は、ジョギング支援部３１による天気予報を報知する動作の説明で述べた通りである。
【０１２４】
そして、その経路識別子３２ｂと関連付けられた経路詳細３２ｅの中のいずれの連続して順序付けられた２つの間に対応する部分、即ち、いずれの部分経路をジョギング中であるかを判断する。そして、この２つの経路詳細３２ｅの中で、後に順序付けられた経路詳細３２ｅの速度３２ｋを検索によって得る。
【０１２５】
いずれの部分経路をジョギング中であるかは、以下に説明する方法の１つまたは複数による。先ず、測位部２５によって測位された緯度及び経度が連続して順序付けられた２つ緯度経度３２ｈの間にあれば、その２つ緯度経度３２ｈに関連付けられた２つの経路詳細３２ｅの間をジョギング中であると判断する。
【０１２６】
また、ジョギング開始からの道のりと、順序付けられた道のり３２ｉの順序付けに従って積算された値との比較によって判断する。ジョギング開始からの道のりは、上述した装置の所持者のジョギングの速度を測定する動作で説明したように、所定の時間に間に移動した道のりを求めて、積算することによって得られる。
【０１２７】
また、ジョギング開始からの走行時間と、順序付けられた時間３２ｊの順序付けに従って積算された値との比較によって判断する。ジョギング開始からの走行時間は、ジョギング開始時の時刻と、どの部分経路をジョギング中であるかを判断する際の時刻とによって得られる。
【０１２８】
装置の所持者のジョギングの測定された速度と、速度３２ｋとが得られると、ジョギング支援部３１は、この両者を比較する（ステップＳ３０４）。比較の結果、装置の所持者のジョギングの測定された速度が速度３２ｋ未満である場合（略等しい場合を含み、更に、検索された速度３２ｋに値が記憶されていない場合を含む。）、報知を音楽コンテンツの再生によって行われる旨のパラメータが記憶されているなら、装置の所持者のジョギングの測定された速度と等しいテンポの音楽コンテンツを所定の時間に渡ってダウンロード部２４に再生させ（ステップＳ３０５）、ステップＳ３０２の装置の所持者のジョギングの速度を測定する動作に移る。
【０１２９】
なお、ジョギング支援部３１は、報知を音声によって行なう旨のパラメータが記憶されているなら、引き続き同じ速度でのジョギングを促す音声を第２のスピーカ４１から発生させる。また、報知をバイブレータ（図示せず）の振動によって行なう旨のパラメータが記憶されているなら、装置の所持者のジョギングの測定された速度と等しいテンポでバイブレータを振動させる。
【０１３０】
ここで、装置の所持者のジョギングの測定された速度が速度３２ｋ未満である場合と、略等しい場合とを分け、ジョギング支援部３１は、異なる動作をしても良い。即ち、記憶されたパラメータに対応して、異なる音楽コンテンツを再生させ、異なる音声を発生させ、または、異なる振動パターンで振動させても良い。
【０１３１】
この、異なる動作をすることによると、ジョギング支援部３１は、次に述べる装置の所持者のジョギングの測定された速度が、速度３２ｋより速い場合の動作との３つの場合の報知内容を異なるものとし、３つの場合のいずれに該当するかを装置の所持者に報知することができる。
【０１３２】
一方、装置の所持者のジョギングの測定された速度が、速度３２ｋより速い場合、報知を音楽コンテンツの再生によって行われる旨のパラメータが記憶されているなら、ジョギング支援部３１は、速度３２ｋと等しいテンポの音楽コンテンツを所定の時間に渡ってダウンロード部２４に再生させ（ステップＳ３０６）、ステップＳ３０２の装置の所持者のジョギングの速度を測定する動作に移る。
【０１３３】
なお、ジョギング支援部３１は、報知を音声によって行なう旨のパラメータが記憶されているなら、速度が予定されている速度より速いので、無理をしないジョギングを促す音声を第２のスピーカ４１から発生させる。また、報知をバイブレータ（図示せず）の振動によって行なう旨のパラメータが記憶されているなら、速度３２ｋと等しいテンポでバイブレータを振動させる。
【０１３４】
なお、ステップＳ３０５またはステップＳ３０６の音楽コンテンツを再生させる動作を２回目以降に行う際、ジョギング支援部３１は、前回の再生させた音楽コンテンツのテンポと等しいテンポの音楽コンテンツを再生させる場合、前回再生させた音楽コンテンツを引き続き再生させる（図示せず）。ジョギング支援部３１は、入力装置１６の所定のキー操作によって、任意の動作ステップで音楽コンテンツを再生させる動作を終了する（図示せず）。
【０１３５】
以上説明したように再生される音楽コンテンツのテンポを選択することにより、装置の所持者が、予定された速度３２ｋより速い、即ち、速過ぎるペースでジョギングしている場合、ペースを落とすことを促す。早過ぎるペースのジョギングは、装置の所持者の健康のために好ましくないためである。
【０１３６】
一方、装置の所持者が、予定された速度３２ｋより遅い、即ち、遅すぎるペースでジョギングしている場合、ペースを変えないことを促す。予定された速度３２ｋでのジョギングは装置の所持者には速過ぎる、即ち、好ましくないためである。更に、検索された速度３２ｋに値が記憶されていない場合、ペースを変えないことを促す。装置の所持者のジョギングの速度が装置の所持者に適すると判断されるからである。
【０１３７】
次に、ジョギング支援部３１による装置の所持者の異常の有無を判断し、異常があると判断された場合、異常がある旨を送信する動作を説明する。図１５は、ジョギング支援部３１による上記動作のフローチャートを示す。
【０１３８】
ジョギング支援部３１は、入力装置１６の所定のキー操作によって、または、装置の所持者がジョギング中と判断される場合、装置の所持者の異常の有無を判断し、異常があると判断された場合、異常がある旨を送信する動作を開始する（ステップＳ４０１）。装置の所持者がジョギング中であるか否かの判断については、既に説明した通りである。
【０１３９】
そして、ジョギング支援部３１は、所定の時間をかけて、装置の所持者の異常の可能性の検出を行う（ステップＳ４０２）。異常の可能性の検出は、以下の２つの場合の１つまたは両方によって行われる。まず、加速度センサー部２６が所定の閾値以上の突発的な加速度を検出した場合である。この場合、装置の所持者が倒れた可能性がある。一方、装置が落下し、装置の所持者の異常はない可能性もある。
【０１４０】
次に、装置の所持者のジョギング速度が急激に遅くなった、例えば、停止した場合である。ジョギング速度の測定については、既に説明した通りである。この場合、装置の所持者が体の変調を感じてジョギングを中止した可能性がある。一方、例えば、交通信号機の赤信号の表示によって装置の所持者が停止し、装置の所持者の異常はない可能性もある。
【０１４１】
このように、ステップＳ４０２では、装置の所持者の異常の可能性があることの検出を行い、異常の有無の判断は行わない。そこで、次に、ジョギング支援部３１は、異常の有無を判断する（ステップＳ４０３）。異常がないと判断された場合、ステップＳ４０２の装置の所持者の異常の可能性の検出に移る。
【０１４２】
一方、異常があると判断された場合、ジョギング支援部３１は、所定の通信によって異常がある旨を送信し（ステップＳ４０４）、ステップＳ４０２の装置の所持者の異常の可能性の検出に移る。更に、異常の有無が不明であると判断された場合、所定の通信によって異常がある旨を送信し（ステップＳ４０５）、ステップＳ４０２の装置の所持者の異常の可能性の検出に移る。
【０１４３】
ステップＳ４０３で異常の有無を判断する動作を説明する。次の場合、ジョギング支援部３１は、異常がないと判断する。先ず、ステップＳ４０２で異常の可能性が検出されない場合である。次に、ステップＳ４０２で異常の可能性が検出された後、所定の経過時間以内に装置の所持者のジョギング速度が復旧した場合である。
【０１４４】
次に、ステップＳ４０２で異常の可能性が検出され、異常の可能性が検出されたことを表示部１５に表示し、及び／または、第２のスピーカ４１からの音声の発生によって報知し、その報知に応じて、入力装置１６の所定のキー操作によって、装置の所持者に異常はない旨の入力が行われた場合である。なお、ジョギング支援部３１は、異常の可能性が検出されたことを報知するに際し、併せて、異常の有無のいずれかを示す入力を促す。
【０１４５】
一方、次の場合、ジョギング支援部３１は、異常があると判断する。先ず、ステップＳ４０２で異常の可能性が検出され、異常の可能性が検出されたことを表示部１５に表示し、及び／または、第２のスピーカ４１からの音声の発生によって報知し、その報知に応じて、入力装置１６の所定のキー操作によって、装置の所持者に異常はある旨の入力が行われた場合である。ジョギング支援部３１は、異常がないと判断せず、かつ、異常があると判断しない場合、異常の有無は不明であると判断する。
【０１４６】
ステップＳ４０４の、所定の通信によって異常がある旨を送信する動作を説明する。この動作は、ジョギング支援部３１によって異常があると判断された場合の動作であり、緊急な対処が必要と考えられる。そこで、ジョギング支援部３１は、日本電信電話株式会社グループによって運用されている災害救急情報センターへの通話またはファックスサービス（電話番号１１９）によって、救急車を要請する。
【０１４７】
ここで、ジョギング支援部３１は、制御部１１を介して、この電話番号への発呼をさせる。また、発話またはファックスの内容は、装置の製造時にジョギング支援部３１内に記憶された、または、装置の所持者によって入力された、救急車の要請をする旨に加えて、測位部２５によって測位された緯度及び経度である。
【０１４８】
なお、発呼先は、災害救急情報センターに限るものではない。装置の所持者によって設定可能な電話番号、例えば、装置の所持者の自宅の電話番号であっても良い。更に、ジョギング支援部３１は、発呼に限らず、電子メール送受信部２２を制御して、所定の電子メールアドレスへ電子メールを送信させ、例えば、装置の所持者の家族へ通知しても良い。
【０１４９】
この送信させる電子メールの件名（Subject）や、本文は、装置の製造時にジョギング支援部３１内に記憶された、または、装置の所持者によって入力された、装置の所持者に異常があると判断された旨に加えて、測位部２５によって測位された緯度及び経度が含まれる。この緯度及び経度に代えて、または、加えて、ジョギング開始からジョギングした道のりや、時間によって検索された装置が位置する場所に近い目印３２ｆと、所在地３２ｇとが含まれるとしても良い。
【０１５０】
ステップＳ４０５の、所定の通信によって異常があるか否かが不明である旨を送信する動作を説明する。このステップＳ４０５の動作は、上述したステップＳ４０４の動作と同じである。ただし、災害救急情報センターへの発呼は、その発呼をする設定がジョギング支援部３１内に記憶された場合に限る。
【０１５１】
この設定は、例えば、装置の所持者に病気があり、倒れる可能性が高い場合に、入力装置１６の所定のキー操作に基づいてジョギング支援部３１によって記憶される。なぜなら、ステップＳ４０５の動作の際、装置の所持者の異常はない可能性があり、その結果、災害救急情報センターへの発呼は妥当でない可能性があるので、避けるためである。
【０１５２】
次に、ジョギング支援部３１による装置の所持者のジョギングの状況と、ジョギング経路３２ａとを比較し、その比較結果を報知する動作を説明する。ジョギング支援部３１は、折り返しを促す動作を行う旨のパラメータがジョギング支援部３１内に記憶されている場合、以下に説明するジョギング支援部３１によって得られた装置の所持者のジョギングの状況と、ジョギング経路３２ａとを比較し、その比較結果を報知する動作を行う。折り返しを促す動作を行わない旨のパラメータが記憶されている場合、以下に説明する動作を行わない。
【０１５３】
ジョギング支援部３１は、装置の所持者のジョギング開始に際し、既に説明したように、そのジョギングに係るジョギング経路３２ａが入力装置１６の所定のキー操作によって、または、ジョギング支援部３１によって判断された際、そのジョギング経路３２ａの全ての道のり３２ｉの和と、全ての時間３２ｊの和とを算出して、ジョギング支援部３１内に記憶する。また、ジョギング開始の際に制御部１１が示す時刻をジョギング支援部３１内に記憶する。
【０１５４】
また、ジョギング支援部３１は、装置の所持者のジョギング中に、そのジョギング開始からのジョギングした道のりを積算する。そして、積算された道のりがジョギング支援部３１内に記憶された全ての道のり３２ｉの和のｎ分のｍ（ｍ／ｎ、ここで、ｎは、２以上の自然数。ｍは、１以上かつｎ以下の自然数。）となった際、その旨を第２のスピーカ４１から報知する。例えば、ｎが２で、ｍが１である場合、「全道のりの半分のジョギングが終わりました」などの音声を発生させる。
【０１５５】
更に、ジョギング支援部３１は、制御部１１が示す時刻からジョギング開始の際の時刻を減算することによって、ジョギングした時間を算出する。そして、算出された時間がジョギング支援部３１内に記憶された全ての時間３２ｊの和のｎ分のｍ（ｍ／ｎ、ここで、ｎは、２以上の自然数。ｍは、１以上かつｎ以下の自然数。）となった際、その旨を第２のスピーカ４１から報知する。例えば、ｎが２で、ｍが１である場合、「予定時間の半分のジョギングが終わりました」などの音声を発生させる。
【０１５６】
このように、全ての道のり３２ｉの和に対する積算されたジョギングした道のりの比と、全ての時間３２ｊの和に対する算出されたジョギングした時間との比とが得られることによって、ジョギング支援部３１は、更に、ジョギングの速度がジョギング経路３２ａに従った速度と比較して速いか、遅いか、または、略同じであるかを得る。
【０１５７】
この比較の結果を用いると、ジョギング支援部３１は、「予定時間の半分のジョギングが終わりました。全道のりの半分まで来ていませんが、そろそろ引き返しましょう」、また、「全道のりの半分のジョギングが終わりました。予定時間の半分まで経過していませんが、そろそろ引き返しましょう」などの音声を発生させ、装置の所持者が無理なジョギングを行わない支援を行うことができる。
【０１５８】
なお、上記説明で、ジョギングした道のりに関してｍとｎとが等しい場合（ｍ＝ｎ）、予定されている全道のりのジョギングを終了したことを意味するので、ジョギング支援部３１は、「全経路のジョギングが終わりました。お疲れ様でした」などの音声を発生させて、装置の所持者の達成感を高めることによって、装置の所持者が適切なジョギングを行う支援を行なうことができる。
【０１５９】
また、ジョギングした時間に関してｍとｎとが等しい場合（ｍ＝ｎ）、既に予定されている全道のりのジョギングを終了していなければ、ジョギング支援部３１は、「予定している時間のジョギングを終えました。この先は、無理をしないで下さい」などの音声を発生させ、装置の所持者が無理なジョギングを行わない支援を行うことができる。
【０１６０】
以上の説明で、第２のスピーカ４１はイヤホン型であるとしたが、装置本体とケーブルによって接続されても良く、または、ブルートゥース（Bluetooth、登録商標）回線によって接続されても良い。更に、イヤホン型に限るものではなく、本体に取り付けられた、または、ブルートゥース（Ｒ）によって接続されたイヤホン型でない、即ち、耳に取り付けられないスピーカであるとしても良い。
【０１６１】
多人数でのジョギングや、人通りが多い地域でのジョギングに際してはイヤホン型が適切であるが、人通りが少ない地域での１人でのジョギング、特に登山に際してはイヤホン型に限る必要はない。たとえイヤホン型でないスピーカから音声が発生されたとしても、他の人々への迷惑とならないからである。
【０１６２】
また、第２のスピーカ４１は、ＢＣＭＣＳ受信部２１と、ダウンロード部２４と、ジョギング支援部３１とによって用いられるとしたが、これに限るものではない。これらの各部の１つまたは２つが専用のスピーカを用いるとしても良い。
【０１６３】
また、ジョギング支援部３１は、複数の動作において第２のスピーカ４１を用いるとしたが、これに限るものではない。動作によって異なるスピーカを使い分けても良い。例えば、装置の所持者の異常の有無を判断して通信する動作の際には、イヤホン型でないスピーカを用いることによって装置の所持者以外の人々にも聴取できるようにする。なぜなら、装置の所持者が倒れた場合、装置の所持者以外の人々の聴取によって支援を得やすいからである。その他の動作の際には、イヤホン型のスピーカを用いる。なぜなら、装置の所持者以外の人々の聴取による支援を得る可能性が乏しいからである。
【０１６４】
以上の説明は、本発明を装置の所持者に適したジョギングの支援に適用した形態を例にとって行なったが、これに限るものではない。本発明は、あらゆる移動を伴う装置の所持者の動作の支援に適用することが当然に可能である。例えば、オートバイまたは自動車による装置の所持者に適した走行の支援に適用可能である。
【０１６５】
更に、装置の所持者に適した水泳の支援、または船舶による航行の支援に適用可能である。海上での移動を伴う動作の支援には、天気予報として、波高などの波の状況が有効であり、波の状況の予報は、例えば、気象庁発表の天気予報を聴取するサービスによって得られる。また、航空機による航行の支援に適用可能である。本発明は以上の構成に限定されるものではなく、種々の変形が可能である。
【図面の簡単な説明】
【０１６６】
【図１】本発明の実施形態に係る移動通信装置の構成を示すブロック図。
【図２】本発明の実施形態に係るジョギング経路の構成の一例を示す図。
【図３】本発明の実施形態に係るジョギング支援部がジョギング速度を入力する際の表示部の表示の一例（その１）。
【図４】本発明の実施形態に係るジョギング支援部がジョギング速度を入力する際の表示部の表示の一例（その２）。
【図５】本発明の実施形態に係るジョギング支援部が装置の所持者のジョギングの速度に応じた報知を行なうか否かを示すパラメータを入力する際の表示部の表示の一例。
【図６】本発明の実施形態に係るジョギング支援部がジョギング開始の場所の緯度及び経度を記憶させる際の表示部の表示の一例。
【図７】本発明の実施形態に係るジョギング支援部がジョギングの道のりを入力する際の表示部の表示の一例。
【図８】本発明の実施形態に係るジョギング支援部がジョギング時間を算出している際の表示部の表示の一例。
【図９】本発明の実施形態に係るジョギング支援部がジョギング時間を算出した後の表示部の表示の一例。
【図１０】本発明の実施形態に係るジョギング支援部がジョギングの折り返しを促す動作を行うか否かを示すパラメータを入力する際の表示部の表示の一例。
【図１１】本発明の実施形態に係るジョギング支援部のジョギングの実績からジョギング経路を記憶させる動作のフローチャート。
【図１２】本発明の実施形態に係るジョギング支援部の天気予報を受信して報知する動作のフローチャート。
【図１３】本発明の実施形態に係るジョギング支援部が天候はジョギングに適さない旨を表示部に表示させた一例。
【図１４】本発明の実施形態に係るジョギング支援部の適切なコンテンツを選択して再生させる動作のフローチャート。
【図１５】本発明の実施形態に係るジョギング支援部の装置の所持者の異常が検出された場合、異常を通知する動作のフローチャート。
【符号の説明】
【０１６７】
１１  制御部
１３  送受信部
１５  表示部
１６  入力装置
２１  ＢＣＭＣＳ受信部
２２  電子メール送受信部
２３  ブラウザ部
２４  ダウンロード部
２５  測位部
２６  加速度センサー部
３１  ジョギング支援部
３２  ジョギング経路記憶部
３２ａ  ジョギング経路
３２ｂ  経路識別子
３２ｃ  年月日
３２ｄ  開始時刻
３２ｅ  経路詳細
３２ｆ  目印
３２ｇ  所在地
３２ｈ  緯度経度
３２ｉ  道のり
３２ｊ  時間
３２ｋ  速度
【図１】
2009224898.tif 000003
【図２】
2009224898.tif 000004
【図３】
2009224898.tif 000005
【図４】
2009224898.tif 000006
【図５】
2009224898.tif 000007
【図６】
2009224898.tif 000008
【図７】
2009224898.tif 000009
【図８】
2009224898.tif 000010
【図９】
2009224898.tif 000011
【図１０】
2009224898.tif 000012
【図１１】
2009224898.tif 000013
【図１２】
2009224898.tif 000014
【図１３】
2009224898.tif 000015
【図１４】
2009224898.tif 000016
【図１５】
2009224898.tif 000017